(57)【要約】【課題】ボイスコイルを磁気ギャップに精度良く配置する。【解決手段】フレームに磁気回路１１０を取り付け、筒状の治具２１０を磁気回路１１０の磁気ギャップの内側に嵌め込んで配置し、コイルを磁気ギャップに挿入するように治具２１０の外周面に沿ってボイスコイル体１２０を配置し、振動板１３０に設けられた貫通孔に治具２１０を挿入し、ボイスコイル体１２０のボビン１２２の端部を径方向の外側に折り曲げて設けられた舌片部１２５と振動板１３０とを接着し、治具２１０を磁気ギャップから抜き出すスピーカ装置の製造方法。【選択図】図８
2020161979.tif 000002
【特許請求の範囲】
【請求項１】
フレームに磁気回路を取り付け、
筒状の治具を前記磁気回路の磁気ギャップの内側に嵌め込んで配置し、
コイルを前記磁気ギャップに挿入するように前記治具の外周面に沿ってボイスコイル体を配置し、
振動板に設けられた貫通孔を前記治具に嵌め込むようにして前記振動板を配置し、
前記ボイスコイル体のボビンの端部を径方向の外側に折り曲げて設けられた舌片部と前記振動板とを接着し、
前記治具を前記磁気ギャップから抜き出す
スピーカ装置の製造方法。
【請求項２】
前記振動板は長尺の平板形状であり、
前記振動板の短手方向に突出する舌片部を切断する
請求項１に記載のスピーカ装置の製造方法。
【請求項３】
前記舌片部は、径方向の外側に向かうに従い前記振動板に近づくように折り曲げられる
請求項１または２に記載のスピーカ装置の製造方法。
【請求項４】
磁気ギャップを備えた磁気回路と、
ボビンと前記ボビンに巻き付けられたコイルを有し、前記磁気ギャップに前記コイルが挿入状態で配置されるボイスコイル体と、
前記ボイスコイル体に結合される振動板と、
前記磁気回路、および前記振動板が取り付けられるフレームとを備え、
前記ボイスコイル体は、前記ボビンの端部を径方向の外側に折り曲げて前記振動板に取り付けられる舌片部を備える
スピーカ装置。
【請求項５】
前記振動板は長尺の平板形状であり、
前記振動板の短手方向に突出する舌片部は、前記振動板の長手方向に突出する舌片部よりも短い、または短手方向には舌片部が存在しない
請求項４に記載のスピーカ装置。
【請求項６】
前記ボイスコイル体は、前記舌片部を８箇所以上備える
請求項４または５に記載のスピーカ装置。
【請求項７】
前記振動板は、前記ボビンに連通する孔と、前記孔を覆うダストキャップとを備える
請求項４から６のいずれか一項に記載のスピーカ装置。
【請求項８】
前記ボイスコイル体の延出部から延出される信号線と、
前記ボイスコイル体と前記フレームとの間を架橋状に接続する環状のダンパーとを備え、
前記ダンパーは、前記延出部に対応する位置に環形状の一部を周方向に分断する分断部を備える
請求項１から７のいずれか一項に記載のスピーカ装置。
【発明の詳細な説明】
【技術分野】
【０００１】
本開示は、スピーカ装置の製造方法、およびスピーカ装置に関する。
【背景技術】
【０００２】
特許文献１に記載のように、一つの振動板に対し、二つのボイスコイルが取り付けられ、二つの磁気回路に基づき駆動するスピーカ装置が存在している。このような二つのボイスコイルで駆動される細長い振動板の場合、振動板の短手方向の長さよりも若干短い径のボイスコイルが用いられる場合がある。
【先行技術文献】
【特許文献】
【０００３】
【特許文献１】実開平６−０１３２９３号公報
【発明の概要】
【発明が解決しようとする課題】
【０００４】
ところが、細長い振動板に径の大きいボイスコイル体を取り付ける場合、取り付けが困難になる。また、取り付け後の接合強度の確保も課題である。
【０００５】
本開示の目的は、一つの振動板に二つのボイスコイル体が取り付けられたスピーカ装置であって、振動板へのボイスコイル体の取り付けが容易で、振動板とボイスコイル体との高い接合強度を確保することができるスピーカ装置の製造方法、およびスピーカ装置の提供である。
【課題を解決するための手段】
【０００６】
上記目的を達成するために、本開示に係るスピーカ装置の製造方法は、フレームに磁気回路を取り付け、筒状の治具を前記磁気回路の磁気ギャップの内側に嵌め込んで配置し、コイルを前記磁気ギャップに挿入するように前記治具の外周面に沿ってボイスコイル体を配置し、振動板に設けられた貫通孔を前記治具に嵌め込むようにして前記振動板を配置し、前記ボイスコイル体のボビンの端部を径方向の外側に折り曲げて設けられ前記振動板に取り付けられる舌片部と前記振動板とを接着し、前記治具を前記磁気ギャップから抜き出す。
【０００７】
また、上記目的を達成するために、本開示にかかるスピーカ装置は、磁気ギャップを備えた磁気回路と、ボビンと前記ボビンに巻き付けられたコイルを有し、前記磁気ギャップに前記コイルが挿入状態で配置されるボイスコイル体と、前記ボイスコイル体に結合される振動板と、前記磁気回路、および前記振動板が取り付けられるフレームとを備え、前記ボイスコイル体は、前記ボビンの端部を径方向の外側に折り曲げて設けられた舌片部を備え、前記舌片部と前記振動板とが接着されることにより前記ボイスコイル体と前記振動板とが結合される。
【発明の効果】
【０００８】
本開示に係るスピーカ装置の製造方法、およびスピーカ装置は、薄型のスピーカ装置であっても、組立が容易で、高い耐久性を実現することができる。
【図面の簡単な説明】
【０００９】
【図１】図１は、実施の形態に係るスピーカ装置を示す斜視図である。
【図２】図２は、実施の形態に係るスピーカ装置の振動板を省略して内部を示す斜視図である。
【図３】図３は、実施の形態に係るスピーカ装置を図１に示すＩ−Ｉ線で切断した断面図である。
【図４】図４は、実施の形態に係るスピーカ装置の対称性を示す斜視図である。
【図５】図５は、実施の形態に係るスピーカ装置の振動板とボイスコイル体との位置関係を示す図１に示すＩ−Ｉ線で切断した断面図である。
【図６】図６は、スピーカ装置の製造工程における磁気回路取付工程を示す断面斜視図である。
【図７】図７は、スピーカ装置の製造工程における治具配置工程を示す断面斜視図である。
【図８】図８は、スピーカ装置の製造工程におけるボイスコイル体取付工程を示す断面斜視図である。
【図９】図９は、スピーカ装置の製造工程における振動板取付工程を示す断面斜視図である。
【図１０】図１０は、スピーカ装置の製造工程における治具取り外し工程を示す断面斜視図である。
【図１１】図１１は、スピーカ装置の製造工程におけるダストキャップ取付工程を示す断面斜視図である。
【図１２】図１２は、スピーカ装置の製造工程におけるガスケット取付工程を示す断面斜視図である。
【図１３】図１３は、各取付工程後のスピーカ装置を示す断面斜視図である。
【発明を実施するための形態】
【００１０】
以下に、スピーカ装置の製造方法、およびスピーカ装置の実施の形態について、図面を参照しつつ説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００１１】
また、図面は、本開示を示すために適宜強調や省略、比率の調整を行った模式的な図となっており、実際の形状や位置関係、比率とは異なる場合がある。
【００１２】
本開示の一態様に係るスピーカ装置の製造方法は、フレームに磁気回路を取り付け、筒状の治具を前記磁気回路の磁気ギャップの内側に嵌め込んで配置し、コイルを前記磁気ギャップに挿入するように前記治具の外周面に沿ってボイスコイル体を配置し、振動板に設けられた貫通孔を前記治具に嵌め込むようにして前記振動板を配置し、前記ボイスコイル体のボビンの端部を径方向の外側に折り曲げて設けられた舌片部と前記振動板とを接着し、前記治具を前記磁気ギャップから抜き出す。
【００１３】
また、スピーカ装置は、磁気ギャップを備えた磁気回路と、ボビンと前記ボビンに巻き付けられたコイルを有し、前記磁気ギャップに前記コイルが挿入状態で配置されるボイスコイル体と、前記ボイスコイル体に結合される振動板と、前記磁気回路、および前記振動板が取り付けられるフレームとを備え、前記ボイスコイル体は、前記ボビンの端部を径方向の外側に折り曲げて設けられた舌片部を備え、前記舌片部と前記振動板とが接着されることにより前記ボイスコイル体と前記振動板とが結合される。
【００１４】
スピーカ装置の製造方法、またはスピーカ装置よれば、容易に高い位置精度で振動板とボイスコイル体とを連結することができ、高い接合強度を確保することが可能となる。
【００１５】
図１は、実施の形態に係るスピーカ装置を示す斜視図である。図２は、実施の形態に係るスピーカ装置の振動板等を省略して内部を示す斜視図である。図３は、実施の形態に係るスピーカ装置を図１に示すＩ−Ｉ線で切断した断面を示す断面図である。
【００１６】
これらの図に示すように、スピーカ装置１００は、二つの磁気回路１１０と、二つのボイスコイル体１２０と、一つの振動板１３０と、フレーム１４０とを備えている。本実施の形態の場合、スピーカ装置１００は、自動車などの移動体に取り付けられるスピーカ装置であり、移動体内の限られたスペースに埋設することができる薄型のスピーカ装置である。
【００１７】
磁気回路１１０は、定常的な磁束を発生させる部品である。磁気回路１１０は、振動板１３０の後方に位置するようにフレーム１４０に取り付けられ、振動板１３０に対向する環状の磁気ギャップを備えている。磁気ギャップは、ボイスコイル体１２０に発生する磁束と交差する方向に定常的な磁束を発生させる空隙である。なお、本明細書において、前方とはスピーカ装置１００の音が放出される方向であり、後方とはその反対側の方向である。
【００１８】
本実施の形態の場合、磁気回路１１０は、図３に示すように内磁型であり、マグネット１１２と、サブマグネット１１５と、トッププレート１１３と、ヨーク１１４とを備えている。ヨーク１１４とトッププレート１１３との間には円環状の空隙である磁気ギャップが形成されている。
【００１９】
トッププレート１１３、およびヨーク１１４は、強磁性材料によって構成されている。トッププレート１１３、およびヨーク１１４の形状は、特に限定されるものではない。本実施の形態の場合、トッププレート１１３は、円板形状であり、マグネット１１２の振動板１３０側の面に配置されている。ヨーク１１４は、有底の円筒形状であり、マグネット１１２を同軸上に収容している。
【００２０】
マグネット１１２は、円柱状の永久磁石である。サブマグネット１１５は、円板状の永久磁石である。マグネット１１２、およびサブマグネット１１５は、高い磁気エネルギーを有する例えばネオジム系マグネットなどを使用するのが好ましい。これにより、マグネット１１２の厚みを薄くでき、スピーカ装置１００全体の厚みを薄くすることができる。さらに、軽量化も実現させることができる。
【００２１】
マグネット１１２は、厚み方向（図中Ｚ軸方向）の一端がＮ極であり、他端がＳ極である。マグネット１１２の一方の極側の面には、トッププレート１１３が固定されており、他方極側の面には、ヨーク１１４が固定されている。また、トッププレート１１３に対しマグネット１１２の反対側に円板状のサブマグネット１１５が配置されている。マグネット１１２、およびサブマグネット１１５により磁気ギャップには強い磁束が発生している。トッププレート１１３、マグネット１１２、ヨーク１１４、およびサブマグネット１１５の固定方法は特に限定されるものでは無いが、本実施の形態の場合、接着剤により固定されている。
【００２２】
本実施の形態の場合、２つの磁気回路１１０は、１つのフレーム１４０に取り付けられている。具体的には２つの磁気回路１１０は、フレーム１４０の収容部１４３の長手方向の中央に短手方向に架橋状に配置される１つの台座部１４４に取り付けられている。台座部１４４の２つの磁気回路１１０の間には、配線孔がそれぞれ設けられている。
【００２３】
なお、トッププレート１１３、マグネット１１２、ヨーク１１４、およびサブマグネット１１５の固定はネジ、リベットなどの締結部材を用いて固定されていてもよい。また、スピーカ装置１００が備える磁気回路１１０の形式は特に限定されるものでは無く、外磁型の磁気回路を採用してもかまわない。
【００２４】
ボイスコイル体１２０は、一端部が磁気回路１１０の磁気ギャップ内に配置され、他端部が振動板１３０に取り付けられる部品であり、入力される電気信号の電流と、磁気ギャップ間の磁束により巻き軸方向（図中Ｚ軸方向）に生じる力によって振動する部品である。ボイスコイル体１２０の巻き軸（中心軸）は、振動板１３０の振動（振幅）の方向（図中Ｚ軸方向）に配置され、磁気ギャップ内の磁束の方向と直交している。本実施の形態の場合、ボイスコイル体１２０は、金属性の一本の線材が複数回環状（円筒形状）に巻回されることにより構成されるコイル１２１と線材が巻き付けられるボビン１２２とを備えている。ボビンはアルミニウムや樹脂等の材料から構成される筒状の部材であり、前側端部が振動板１３０に結合され後側端部は磁気ギャップ内に配置されている。
【００２５】
また、ボビン１２２の振動板１３０側（前側）の端部には、ボビン１２２の径方向の外側に折り曲げて設けられた舌片部１２５が存在している（図２参照）。舌片部１２５は、振動板１３０との接触面積を広げて振動板１３０とボビン１２２との接着強度を高めるための部分である。本実施の形態の場合、舌片部１２５は、円筒状のボビン１２２の一端部に三角形状の切れ込みを周方向に並べて設け、残存させた三角形の部分を外側に開くように折り曲げて舌片部１２５としている。また、長尺矩形の振動板１３０の短手方向（図中Ｘ軸方向）に折り曲げられる舌片部１２５は、長手方向（図中Ｙ軸方向）に折り曲げられる舌片部１２５よりも短くなる用に切除され、または舌片部１２５を除去するように切除されている。これにより、舌片部１２５により振動板１３０とボビン１２２との接着強度を高めつつ、長尺矩形の振動板１３０の短手方向の長さに近い大きな径のボビン１２２を採用することが可能となる。
【００２６】
また、舌片部１２５は、１つのボビン１２２に対し８箇所以上に設けることが好ましい。これにより円筒形のボビン１２２の端部を折り曲げて舌片部１２５を形成した場合でもボビン１２２の形状が歪みにくくなり、音響性能に対する影響を抑制することが可能となる。
【００２７】
なお、舌片部１２５は三角形状に限定されるものではなく、矩形など任意の形状を採用することができる。
【００２８】
ボイスコイル体１２０からは、コイルを構成する線材の両端部が信号線１２３（図２参照）として延出部１２４（図２参照）からそれぞれ延在している。信号線１２３は金糸線、錦糸線などと称されている。信号線１２３は、フレーム１４０のダンパーが取り付けられる円筒状の部分に設けられた径方向に延在する溝を通過して配線されている。信号線１２３は、フレーム１４０に設けられた配線孔を介してフレーム１４０の外側表面に取り付けられた端子（図示せず）に電気的に接続される。端子にはアンプなどと接続される外部配線が電気的に接続される。なお、配線孔は、端子、ハンダ等によって封止されている。
【００２９】
ダンパー１５０は、フレーム１４０とボイスコイル体１２０との間に架橋状に取り付けられる柔軟性、復元性を備えた部材であり、駆動時におけるスピーカ装置１００のボイスコイル体１２０の直動を補助し、音響特性を調整する部材である。ダンパー１５０は、スピーカ装置１００の駆動時にボイスコイル体１２０の巻き軸方向（図中Ｚ軸方向）の振動に従って変形し、ボイスコイル体１２０に音声信号が入力されていないときはボイスコイル体１２０を中立位置に維持する。
【００３０】
ダンパー１５０を構成する材料は、特に限定されるものでは無く、布地に樹脂を含浸させたものや、ゴム、エラストマーなど所望の音響特性に応じて任意に選定することができる。
【００３１】
本実施の形態の場合、ダンパー１５０は、ボイスコイル体１２０から延出される信号線１２３の延出部１２４に対応する位置に環形状の一部を周方向に分断する分断部１５４（図２参照）を備える。本実施の形態の場合、分断部１５４は、円環状のダンパー１５０を周方向において完全に分断する部分であり、ダンパー１５０の一部を完全な環状として残存させる切り欠きとは異なる。ダンパー１５０は、分断部１５４の存在によりＺ軸方向から見た平面視においてＣ字形状となっている。
【００３２】
ダンパー１５０の少なくとも一部は、ボイスコイル体１２０の振動方向（図中Ｚ軸方向）において、延出部１２４と同じ位置になるようにボイスコイル体１２０に取り付けられている。分断部１５４は、ボイスコイル体１２０の振動方向に直交する径方向（図中Ｙ軸方向）において、延出部１２４と重なるように配置されている。分断部１５４には、図２に示すように、信号線１２３が通過するように配線される。
【００３３】
このように、環状のダンパー１５０に周方向に分断する分断部１５４を設けることにより、磁気ギャップから突出するボイスコイル体１２０の巻き軸方向の長さを短くした場合でも信号線１２３とダンパー１５０や振動板１３０との干渉を回避することができる。従って、薄型のスピーカ装置１００でありながら所望の音響特性を実現することが可能となる。
【００３４】
本実施の形態の場合、スピーカ装置１００が備える２つのダンパー１５０は、図４に示すように、長手方向において振動板１３０を仮想的に２等分する第一仮想面２０１を基準に面対称に配置されている。これにより、ダンパー１５０に設けられている分断部１５４によるボイスコイル体１２０の振動に対する影響を相殺することができスピーカ装置１００の音響特性を向上させることが可能となる。また本実施の形態の場合、ダンパー１５０は、短手方向において振動板１３０を仮想的に２等分する第二仮想面２０２に対しても面対称である。
【００３５】
２つの磁気回路１１０も、第一仮想面２０１、および第二仮想面２０２のそれぞれを基準として面対称である。なお、ボイスコイル体１２０は、全体的な形状、および延出部１２４の位置は、第一仮想面２０１、および第二仮想面２０２のそれぞれを基準として面対称であるが、コイル１２１の巻き付け方向については、第一仮想面２０１に対して面対称にはなっていない。
【００３６】
なお、ダンパー１５０の形状は、特に限定されるものではない。例えば図３に示すようにダンパー１５０の一部の断面がＶ字形状のものばかりでなく、同心円状に波打った形状（波紋状）等でもよい。また、ダンパー１５０は、ボビン１２２以外の箇所に取り付けられても構わない。また、ダンパー１５０の取り付け位置は、ボビン１２２に限定されるものではなく、ダンパー１５０が振動板１３０とフレーム１４０とを接続するものでも構わない。
【００３７】
振動板１３０は、ボイスコイル体１２０の先端部が結合される部材であり、ボイスコイル体１２０の振動に基づいて中立位置を基準に前後方向（図中Ｚ軸方向）に変位することにより空気を振動させて音を発生させる部材である。本実施の形態の場合、振動板１３０の形状は、平板型であり、振動方向から見た平面視における外形はトラック形状である。振動板１３０の外周部は、振動板１３０よりも柔軟性、および、復元性を有するエッジ１３１を介してフレーム１４０の壁部の前側端面に取り付けられている。また、フレーム１４０に取り付けられているエッジ１３１の部分は、ガスケット１３４により保護されている。
【００３８】
振動板１３０は、長手方向（図中Ｙ軸方向）において二つのボイスコイル体１２０が並んで結合されている。図５に示すように、長手方向において振動板１３０の中心から第二仮想面２０２と交差する端縁までの距離Ｌは、振動板１３０の中心からボイスコイル体１２０の巻き軸までの長さＸの２．２７倍以上、２．７４倍以下の範囲から設定されている。
【００３９】
なお、平面視における振動板１３０の形状は、特に限定されるものでは無く、トラック形状などを含む楕円形、矩形などもかまわない。振動板１３０を構成する材料は、特に限定されるものではないが、例えば、紙、樹脂などを挙示することができる。また、振動板１３０には、ボイスコイル体１２０を取り付けるための貫通孔１３３（図９参照）が設けられ、貫通孔１３３を封止するダストキャップ１３２（図１参照）が取り付けられている。ダストキャップ１３２は、磁気ギャップに異物が侵入することを防止している。
【００４０】
フレーム１４０は、磁気回路１１０、振動板１３０、およびダンパー１５０を保持する構造部材である。フレーム１４０の形状は、特に限定されるものではないが、本実施の形態の場合、長方形の板状であり、長手方向の両端部にはそれぞれ取付孔１４９が設けられている。フレーム１４０は、平面視においてトラック形状であり厚さ方向に一部貫通した収容部１４３を備えている。長手方向において収容部１４３の中間部分には、磁気回路１１０、ダンパー１５０等が取り付けられる矩形の台座部１４４が短手方向に架橋状に設けられている。台座部１４４には、配線孔が設けられている。
【００４１】
フレーム１４０の側壁の中央部分には、貫通状の第一作業孔１４５が設けられている。２つのダンパー１５０の間の台座部１４４には第二作業孔１４６が設けられている。第一作業孔１４５、および第二作業孔１４６は、フレーム１４０の台座部１４４にダンパー１５０などを取り付ける際の治具、工具などを挿入するための穴である。フレーム１４０に設けられている第一作業孔１４５、第二作業孔１４６、および収容部１４３の振動板１３０が取り付けられた端部とは反対側の端部開口は、分断部１５４に連通する開口部であるため、当該開口部から塵埃が侵入し磁気ギャップに到達する可能性がある。そこで本実施の形態の場合、第一作業孔１４５、第二作業孔１４６、および収容部１４３の開口には、塵埃の侵入を防止するカバー部材（図示せず）が開口を覆うように取り付けられている。カバー部材は、塵埃の侵入を防止できるものであれば特に限定されるものではないが、空気の通過を許容し塵埃の侵入を防止できるメッシュ状の部材を用いてもよい。このようなカバー部材によりスピーカ装置１００の音響特性を調整することができる。
【００４２】
上記スピーカ装置１００によれば、舌片部１２５によりボイスコイル体１２０と振動板１３０が高い接合強度で連結されているため、高い耐久性を実現することができる。
【００４３】
また、振動板１３０に対し所定範囲内の位置でボイスコイル体１２０に取り付けることにより、比較的長尺で大型の振動板１３０の場合においても、一次共振モードばかりでなく高次の共振モードを抑制しつつ２つのボイスコイル体１２０で振動させることができ、薄型のスピーカ装置１００でありながら良好な音響特性を得ることが可能となる。
【００４４】
また、周方向に完全に分断する分断部１５４を有するダンパー１５０を用いながら、第一仮想面２０１に対して面対称にダンパー１５０を配置するため、分断部１５４による影響を相殺し、所望の音響特性を得ることが可能となる。
【００４５】
また、コイル１２１の巻き軸方向において分断部１５４と延出部１２４とが重なるように配置されているため、ダンパー１５０と振動板１３０との距離を短くすることができ、薄型のスピーカ装置１００を実現することができる。
【００４６】
次に、スピーカ装置の製造方法を説明する。図６〜図１３は、スピーカ装置の製造工程を順に示す断面斜視図である。
【００４７】
図６に示すように、別途組み立てられた２つの磁気回路１１０をフレーム１４０の所定の場所にそれぞれ組み付ける。フレーム１４０に磁気回路１１０を固定する方法は特に限定されるものではないが、接着、圧入などを例示することができる。
【００４８】
次に図７に示すように、治具２１０を磁気ギャップに挿入する。治具２１０は、磁気回路１１０の磁気ギャップに対し、正確にボイスコイル体１２０を配置する。治具２１０は、有底円筒状の本体部２１１と、作業者が治具２１０を持ちやすくするための把持部２１２を備えている。本体部２１１の外周面は、ボイスコイル体１２０のボビン１２２の内周面と軸方向に摺動可能な嵌め合い状態となっている。本体部２１１の内周面は、磁気ギャップの内側にあるトッププレート１１３と軸方向に摺動可能な嵌め合い状態となっている。つまり、治具２１０を磁気ギャップの内側のトッププレート１１３に嵌め込むことで、トッププレート１１３に対する治具２１０の位置が定まり、治具２１０は、ボイスコイル体１２０を磁気ギャップに挿入する際のガイド（スペーサ）として機能する。
【００４９】
次に図８に示すように、別途ダンパー１５０が取り付けられたボイスコイル体１２０を治具２１０に嵌め入れるようにして磁気ギャップに挿入する。ボイスコイル体１２０は、径方向においては治具２１０により磁気ギャップに対して適切な位置に配置される。また、ボイスコイル体１２０は、軸方向においては、ダンパー１５０とフレーム１４０とを連結することにより適切な位置に配置される。ダンパー１５０とフレーム１４０とを固定する方法は特に限定されるものではないが、接着などを例示することができる。
【００５０】
また、ボイスコイル体１２０を配置する際に、フレーム１４０のダンパー１５０が取り付けられる円筒状の部分に径方向に延在する溝に信号線１２３が通過するようにボイスコイル体１２０を配置することにより、２つのダンパー１５０が第一仮想面２０１、および第二仮想面２０２に対して対称になるように配置することができる。
【００５１】
また、ボイスコイル体１２０に舌片部１２５を形成する際は、円筒状のボビン１２２の端部に三角形状の複数の切れ込みを周方向に均等に設け、残存した三角形の部分を舌片部１２５として外側に折り曲げる。舌片部１２５の折曲げは、ボビン１２２の軸に対して直角になるまで曲げるのではなく、ボビン１２２の径方向の外側に向かうに従い振動板１３０に近づくように、つまりボビン１２２の端部から漸次遠ざかるように折り曲げる。これにより、ボイスコイル体１２０を振動板１３０に強固に取り付けることが可能となる。ボイスコイル体１２０をエッジ１３１が取り付けられた振動板１３０に取り付ける際には、エッジ１３１と干渉する舌片部１２５は、切除する。
【００５２】
次に図９に示すように、別途エッジ１３１が取り付けられた振動板１３０をエッジ１３１を介してフレーム１４０に取り付け、振動板１３０とボイスコイル体１２０を連結する。振動板１３０を取り付ける際は、振動板１３０に設けられた貫通孔１３３に治具２１０を嵌め入れるようにして配置する。このように、治具２１０が挿入された状態のボイスコイル体１２０と振動板１３０を接着剤などで連結することにより、磁気ギャップに対してボイスコイル体１２０がずれることなくボイスコイル体１２０を振動板１３０に取り付けることができる。
【００５３】
次に図１０に示すように治具２１０を取り外す。この段階においては、ボイスコイル体１２０は、ダンパー１５０を介してフレーム１４０に固定されるとともに、振動板１３０、およびエッジ１３１を介してフレーム１４０に固定されているため、磁気ギャップに対する位置は維持される。
【００５４】
次に図１１に示すように、貫通孔１３３を塞ぐためにダストキャップ１３２を振動板１３０に取り付ける。最後に図１２、図１３に示すように、エッジ１３１の外周縁部を挟むようにガスケット１３４を取り付ける。以上によりスピーカ装置１００が製造される。
【００５５】
以上のように、ボイスコイル体１２０の端部に設けた舌片部１２５をボイスコイル体１２０の内側ではなく外側に折り曲げて形成したことにより、ボイスコイル体１２０の内側に嵌まり合う治具２１０の利用が可能となる。従って、治具２１０を磁気回路１１０に取り付けた状態で、ボイスコイル体１２０をダンパー１５０を介してフレーム１４０に取り付けることができる。さらに治具２１０を挿通可能な貫通孔１３３を備えた振動板１３０を用いることで、治具２１０が挿入された状態のボイスコイル体１２０を振動板１３０に取り付けることができる。以上により、磁気回路１１０の磁気ギャップに対するボイスコイル体１２０の適正な位置を維持した状態でボイスコイル体１２０の取り付け作業を実行することができる。従って、ボイスコイル体１２０が磁気ギャップに対し適正な位置に配置されたスピーカ装置１００を容易に製造することができる。
【００５６】
なお、本開示は、上記実施の形態に限定されるものではない。例えば、本明細書において記載した構成要素を任意に組み合わせて、また、構成要素のいくつかを除外して実現される別の実施の形態を本開示の実施の形態としてもよい。また、上記実施の形態に対して本開示の主旨、すなわち、請求の範囲に記載される文言が示す意味を逸脱しない範囲で当業者が思いつく各種変形を施して得られる変形例も本開示に含まれる。
【００５７】
例えば、治具２１０の本体部２１１は、取り付けられた振動板１３０から突出する長さを有する場合を示したが、治具２１０の本体部２１１の長さは特に限定されるものではなく、取り付けられたボイスコイル体１２０から突出しない程度の長さであってもかまわない。
【００５８】
また、振動板１３０に設けられた貫通孔１３３の径は、治具２１０の本体部２１１の外径よりも大きい場合を説明したが、治具２１０の本体部２１１と振動板１３０の貫通孔１３３とを嵌め合い状態としても構わない。この場合、治具２１０により振動板１３０の位置決めを行う事も可能となる。
【００５９】
また、ダンパー１５０が、ボイスコイル体１２０とフレーム１４０とに架橋状に取り付けられているスピーカ装置１００を例示したが、スピーカ装置１００はダンパー１５０を備えなくてもよい。また、ダンパー１５０の取り付け位置も任意である。
【００６０】
また、分断部１５４、および延出部１２４を向かい合わせに配置したが、分断部１５４、および延出部１２４を背中合わせ、つまり２つの分断部１５４、および延出部１２４の間に２つのボビン１２２が存在する状態となるように配置しても構わない。
【産業上の利用可能性】
【００６１】
本開示は、比較的薄型のスピーカ装置に有用である。
【符号の説明】
【００６２】
１００  スピーカ装置
１１０  磁気回路
１１２  マグネット
１１３  トッププレート
１１４  ヨーク
１１５  サブマグネット
１２０  ボイスコイル体
１２１  コイル
１２２  ボビン
１２３  信号線
１２４  延出部
１２５  舌片部
１３０  振動板
１３１  エッジ
１３２  ダストキャップ
１３３  貫通孔
１３４  ガスケット
１４０  フレーム
１４３  収容部
１４４  台座部
１４５  第一作業孔
１４６  第二作業孔
１４９  取付孔
１５０  ダンパー
１５４  分断部
２０１  第一仮想面
２０２  第二仮想面
２１０  治具
２１１  本体部
２１２  把持部
【図１】
2020161979.tif 000003
【図２】
2020161979.tif 000004
【図３】
2020161979.tif 000005
【図４】
2020161979.tif 000006
【図５】
2020161979.tif 000007
【図６】
2020161979.tif 000008
【図７】
2020161979.tif 000009
【図８】
2020161979.tif 000010
【図９】
2020161979.tif 000011
【図１０】
2020161979.tif 000012
【図１１】
2020161979.tif 000013
【図１２】
2020161979.tif 000014
【図１３】
2020161979.tif 000015